(57)【要約】【課題】光ピックアップ装置において、弾性支持されたレンズホルダに対して自動巻線機によりコイルを巻き付け可能な構成でありながら、薄型化を阻害することなくレンズホルダの剛性を高める。【解決手段】光ピックアップ装置１３が、対物レンズ３１を保持すると共にフォーカスコイル４２が巻き付けられたレンズホルダ３２と、レンズホルダを複数のサスペンションワイヤ３３Ａ〜３３Ｃを介して弾性支持するホルダ支持部材３４とを備え、レンズホルダは、レンズ固定部４１に連結されたフォーカスコイルホルダ部４３を有すると共に、フォーカスコイルホルダ部には複数のサスペンションワイヤがそれぞれ接続される複数のワイヤ接続部５４Ａ〜５４Ｃが設けられ、フォーカスコイルの巻線部が、レンズ固定部側において一体をなすと共に、複数のワイヤ接続部の少なくとも１つを迂回するようにその接続部側において分割された形状を有する構成とする。【選択図】図５
2014175032.tif 000002
【特許請求の範囲】
【請求項１】
対物レンズと、前記対物レンズを駆動するための第１コイルと、前記対物レンズを保持すると共に、前記第１コイルが巻き付けられたレンズホルダと、前記レンズホルダに対して複数の弾性部材を介して接続されることにより、前記レンズホルダを弾性支持するホルダ支持部材とを備えた光ピックアップ装置であって、
前記レンズホルダは、
前記対物レンズが固定されるレンズ固定部と、
前記レンズ固定部に接続され、前記第１コイルが巻かれた第１コイルホルダ部と、
前記第１コイルホルダ部において前記レンズ固定部側とは相反する側に配置され、前記複数の弾性部材がそれぞれ接続される複数の接続部と
を有し、
前記第１コイルの巻線部は、前記レンズ固定部側において一体をなすと共に、前記複数の接続部の少なくとも１つを迂回するように前記接続部側において分割された形状を有することを特徴とする光ピックアップ装置。
【請求項２】
前記第１コイルの巻線部は、略Ｖ字状または略Ｕ字状をなすように前記接続部側において２分割されたことを特徴とする請求項１に記載の光ピックアップ装置。
【請求項３】
前記第１コイルホルダ部は、前記レンズ固定部を挟み込むように対になって配置され、
前記第１コイルホルダ部の各々に巻かれた前記第１コイルの巻線部は、互いに同一形状を有すると共に、前記レンズホルダの重心を基準として互いに対称に配置されたことを特徴とする請求項１または請求項２に記載の光ピックアップ装置。
【請求項４】
前記第１コイルとは異なる方向に前記対物レンズを駆動するための第２コイルを更に備え、
前記レンズホルダは、前記第２コイルが巻かれた第２コイルホルダ部を更に有し、
前記第２コイルホルダ部は、前記第２コイルの少なくとも一方の軸方向端面に当接する巻き枠を有し、当該巻き枠は、前記対物レンズの軸方向において前記第１コイルの巻線部における少なくとも前記レンズ固定部側と重ならないように分割されたことを特徴とする請求項１から請求項３のいずれかに記載の光ピックアップ装置。
【請求項５】
前記第１コイルの巻線部は、前記対物レンズの軸方向に直交する水平方向に対して上方に傾斜した巻線上部と、当該水平方向に対して下方に傾斜した巻線下部とを有することを特徴とする請求項２に記載の光ピックアップ装置。
【請求項６】
前記第１コイルホルダ部には、互いに間隔をおいて配置された３つの前記接続部が設けられ、
前記第１コイルの巻線部における前記分割された部位は、３つの前記接続部において隣接する２つの接続部間にそれぞれ配置されたことを特徴とする請求項２または請求項５に記載の光ピックアップ装置。
【請求項７】
請求項１から請求項６のいずれかに記載の光ピックアップ装置を備えた光ディスク装置。
【発明の詳細な説明】
【技術分野】
【０００１】
本発明は、ＣＤ、ＤＶＤ及びＢｌｕ−ｒａｙ  Ｄｉｓｃ（登録商標）などの光ディスクに対して情報の記録や読み取りを行うための光ピックアップ装置及びこれを備えた光ディスク装置に関する。
【背景技術】
【０００２】
従来、光ディスク装置に搭載される光ピックアップ装置として、例えば、対物レンズと、対物レンズを保持するレンズホルダとを備え、レンズホルダには、対物レンズが固定される中央部と、この中央部を挟み込むように配置された２つの側部（コイル収容部）とが設けられ、これら両側部には、トラッキングコイルが巻かれる巻線用突起と、フォーカスコイルが巻かれたコイルホルダを収容する開口部とが形成されたものが存在する（特許文献１参照）。また、この光ピックアップ装置では、ホルダ支持部材から延在する複数のサスペンションワイヤがレンズホルダの両側部にそれぞれ接続されており、それら複数のサスペンションワイヤにより、レンズホルダがホルダ支持部材に弾性支持されると共に、トラッキング制御信号及びフォーカス制御信号がホルダ支持部材側（基板）からトラッキングコイル及びフォーカスコイルにそれぞれ送られる。
【０００３】
ところで、近年、ノートＰＣ等に搭載される光ディスク装置に対して一層の薄型化が求められており、それに用いられる光ピックアップ装置についても同様の要請がある。一方、光ピックアップ装置において対物レンズを保持するレンズホルダを薄型化すると、レンズホルダの剛性が低下して有害な共振が発生する場合がある。そのようなレンズホルダの共振は、対物レンズの駆動制御に悪影響を与え、高精度のフォーカシングやトラッキングが困難となることが知られている。
【０００４】
そこで、例えば、合成樹脂製のレンズホルダを備えた光ピックアップ装置において、対物レンズの光軸方向におけるレンズホルダの上面及び下面のいずれか一方にアルミニウム合金等からなる剛性の高い補強板を固着することにより、レンズホルダの剛性を高める技術が存在する（特許文献２参照）。
【先行技術文献】
【特許文献】
【０００５】
【特許文献１】特開２０１１−２２２０５９号公報
【特許文献２】特開平１０−３２６４２７号公報
【発明の概要】
【発明が解決しようとする課題】
【０００６】
しかしながら、上記特許文献１に記載された従来技術では、フォーカスコイルを巻き付けるためのコイルホルダをレンズホルダとは別に準備する必要があり、また、フォーカスコイルはコイルホルダに巻き付けられた後にレンズホルダに取り付けられるため、部品点数や組み立て工数が増大して装置コストが嵩むという問題がある。
【０００７】
これに対し、自動巻線機によってレンズホルダ（左右側部）に対してフォーカスコイルを直接巻き付けることにより、光ピックアップ装置の組み立て工数を低減することが考えられる。例えば、図１１及び図１２に示すように、光ピックアップ装置において、対物レンズ３１を保持するレンズホルダ３２にフォーカスコイル４２，４２を巻き付け可能な略筒状の側部４３，４３を設けることにより、フォーカスコイル４２，４２の巻き付けに自動巻線機を用いることが可能となる。この場合、側部４３，４３の外周には、３本のサスペンションワイヤの各々が接続される端子５４Ａ〜５４Ｃがフォーカス方向（対物レンズの光軸方向）にそれぞれ略等間隔に配置されているため、フォーカスコイル４２，４２の各々はそれら端子５４Ａ〜５４Ｃの位置と重ならないように上下に２分割された形状を有している（ただし、コイルを構成する導線は切断されておらず、分割された部位は互いに電気的に接続されている。）。なお、図１１及び図１２に示した構成は、本願発明の理解を容易とするための比較例として示したものであり、本願発明の進歩性等を否定するための従来技術として用いるべきものではない。
【０００８】
この図１１及び図１２に示したような光ピックアップ装置では、フォーカスコイル４２，４２を巻き付ける際に自動巻線機のニードルの通過スペースＳを確保可能なように、対物レンズ３１が固定される中央部４１の厚み（光軸方向のサイズＬ０）を比較的小さく設定する必要があり、これにより、中央部の剛性が低下するという問題がある。
【０００９】
この場合、自動巻線機のニードルの通過スペースＳを確保しつつ中央部４１の厚みを上方に増大させる（すなわち、共振を抑制するために必要な剛性を確保する）ことも考えられるが、レンズホルダ３２の上下幅が増大する（すなわち、光ピックアップ装置の薄型化が阻害される）という問題が生じる。また、上記特許文献２に記載された従来技術と同様に、レンズホルダに補強板を固着することも考えられるが、その場合、部品点数や組み立て工数が増大して装置コストが嵩むという問題が生じる。
【００１０】
本発明は、このような従来技術の課題を鑑みて案出されたものであり、複数の弾性部材を介して弾性支持されたレンズホルダに対して自動巻線機によりコイルを巻き付け可能な構成でありながら、光ピックアップ装置の薄型化を阻害することなくレンズホルダの剛性を高めることを可能とした光ピックアップ装置及びこれを備えた光ディスク装置を提供することを主目的とする。
【課題を解決するための手段】
【００１１】
本発明の光ピックアップ装置は、対物レンズと、前記対物レンズを駆動するための第１コイルと、前記対物レンズを保持すると共に、前記第１コイルが巻き付けられたレンズホルダと、前記レンズホルダに対して複数の弾性部材を介して接続されることにより、前記レンズホルダを弾性支持するホルダ支持部材とを備えた光ピックアップ装置であって、前記レンズホルダは、前記対物レンズが固定されるレンズ固定部と、前記レンズ固定部に接続され、前記第１コイルが巻かれた第１コイルホルダ部と、前記第１コイルホルダ部において前記レンズ固定部側とは相反する側に配置され、前記複数の弾性部材がそれぞれ接続される複数の接続部とを有し、前記第１コイルの巻線部は、前記レンズ固定部側において一体をなすと共に、前記複数の接続部の少なくとも１つを迂回するように前記接続部側において分割された形状を有することを特徴とする。
【発明の効果】
【００１２】
本発明によれば、複数の弾性部材を介して弾性支持されたレンズホルダに対して自動巻線機によりコイルを巻き付け可能な構成でありながら、光ピックアップ装置の薄型化を阻害することなくレンズホルダの剛性を高めることが可能となる。
【図面の簡単な説明】
【００１３】
【図１】実施形態に係る光ピックアップ装置を内蔵する光ディスク装置の斜視図
【図２】図１に示した光ディスク装置の内部構造を示す斜視図
【図３】図２に示した光ディスク装置における光ピックアップ装置の斜視図
【図４】図３に示した光ピックアップ装置における対物レンズ駆動装置の斜視図
【図５】図４に示した対物レンズ駆動装置におけるレンズホルダ及びこれに取り付けられた各部材の斜視図
【図６】図４に示した対物レンズ駆動装置におけるレンズホルダ及びこれに取り付けられた各部材の正面図
【図７】実施形態に係る対物レンズを保持するレンズホルダの斜視図
【図８】実施形態に係る対物レンズを保持するレンズホルダの平面図
【図９】実施形態に係る対物レンズを保持するレンズホルダの正面図
【図１０】図５においてレンズホルダを省略した各部材を示す斜視図
【図１１】本願発明に係る光ピックアップ装置の比較例としてのレンズホルダ及びこれに取り付けられた周辺部材の斜視図
【図１２】本願発明に係る光ピックアップ装置の比較例としてのレンズホルダ及びこれに取り付けられた周辺部材の正面図
【発明を実施するための形態】
【００１４】
上記課題を解決するためになされた第１の発明は、対物レンズと、前記対物レンズを駆動するための第１コイルと、前記対物レンズを保持すると共に、前記第１コイルが巻き付けられたレンズホルダと、前記レンズホルダに対して複数の弾性部材を介して接続されることにより、前記レンズホルダを弾性支持するホルダ支持部材とを備えた光ピックアップ装置であって、前記レンズホルダは、前記対物レンズが固定されるレンズ固定部と、前記レンズ固定部に接続され、前記第１コイルが巻かれた第１コイルホルダ部と、前記第１コイルホルダ部において前記レンズ固定部側とは相反する側に配置され、前記複数の弾性部材がそれぞれ接続される複数の接続部とを有し、前記第１コイルの巻線部は、前記レンズ固定部側において一体をなすと共に、前記複数の接続部の少なくとも１つを迂回するように前記接続部側において分割された形状を有することを特徴とする。
【００１５】
この第１の発明に係る光ピックアップ装置によれば、コイルの巻線部は、レンズ固定部側において一体をなすと共に、接続部側において分割された形状を有するため、コイルホルダ部に対するコイルの巻き付けを阻害することなく、レンズ固定部の厚みを光ディスク側（光出射する側）とは相反する側に増大させることができる。その結果、複数の弾性部材を介して弾性支持されたレンズホルダに対して自動巻線機によりコイルを巻き付け可能な構成でありながら、光ピックアップ装置の薄型化を阻害することなくレンズホルダの剛性を高めることが可能となる。
【００１６】
また、第２の発明では、前記第１コイルの巻線部は、略Ｖ字状または略Ｕ字状をなすように前記接続部側において２分割されたことを特徴とする。
【００１７】
この第２の発明に係る光ピックアップ装置によれば、コイルの巻線部を略Ｖ字状または略Ｕ字状とすることにより巻線部の形状を過度に複雑化させることなく、自動巻線機を使用可能としながら、レンズホルダの剛性を高めることが可能となる。
【００１８】
また、第３の発明では、前記第１コイルホルダ部は、前記レンズ固定部を挟み込むように対になって配置され、前記第１コイルホルダ部の各々に巻かれた前記第１コイルの巻線部は、互いに同一形状を有すると共に、前記レンズホルダの重心を基準として互いに対称に配置されたことを特徴とする。
【００１９】
この第３の発明に係る光ピックアップ装置によれば、同一形状を有するコイルが対になって対称に配置されるため、コイルの巻線部の分割された部位において対物レンズの駆動に不要な方向にローレンツ力が生じても、対をなすコイル間で互いに打ち消しあって対物レンズの駆動制御に悪影響を及ぼすことを回避することができる。
【００２０】
また、第４の発明では、前記第１コイルとは異なる方向に前記対物レンズを駆動するための第２コイルを更に備え、前記レンズホルダは、前記第２コイルが巻かれた第２コイルホルダ部を更に有し、前記第２コイルホルダ部は、前記第２コイルの少なくとも一方の軸方向端面に当接する巻き枠を有し、当該巻き枠は、前記対物レンズの軸方向において前記第１コイルの巻線部における少なくとも前記レンズ固定部側と重ならないように分割されたことを特徴とする。
【００２１】
この第４の発明に係る光ピックアップ装置によれば、第１コイルとは異なる方向に対物レンズを駆動する第２コイルが巻かれた第２コイルホルダ部をレンズホルダに更に設けた場合でも、自動巻線機を使用可能としながら、レンズホルダの剛性を高めることが可能な構成を実現できる。
【００２２】
また、第５の発明では、前記第１コイルの巻線部は、前記対物レンズの軸方向に直交する水平方向に対して上方に傾斜した巻線上部と、当該水平方向に対して下方に傾斜した巻線下部とを有することを特徴とする。
【００２３】
この第５の発明に係る光ピックアップ装置によれば、レンズ固定部側における第１コイルの巻線部の配置における自由度が向上し、巻線部の周囲のスペースを有効に利用することが可能となる。
【００２４】
また、第６の発明では、前記第１コイルホルダ部には、互いに間隔をおいて配置された３つの前記接続部が設けられ、前記第１コイルの巻線部における前記分割された部位は、３つの前記接続部において隣接する２つの接続部間にそれぞれ配置されたことを特徴とする。
【００２５】
この第６の発明に係る光ピックアップ装置によれば、簡易な構成により、第１コイルホルダ部の各々に接続される３つの弾性部材を介して弾性支持されたレンズホルダに対して自動巻線機を使用可能としながら、レンズホルダの剛性を高めることが可能な構成を実現できる。
【００２６】
また、第７の発明は、上記第１から第６の発明に係る光ピックアップ装置のいずれかを備えた光ディスク装置である。
【００２７】
以下、本発明の実施の形態について図面を参照しながら説明する。ここで、説明の便宜上、本発明に係る光ピックアップ装置及びこれを備えた光ディスク装置における方向は、原則として図１等に示した矢印の方向に従うものとする。また、光ピックアップ装置では、方向を示す語として「フォーカス方向（対物レンズの光軸方向と平行な方向）」、「トラッキング方向（光ディスクの半径方向と平行な方向）」、「タンジェンシャル方向（フォーカス方向及びトラッキング方向に直交する光ディスクのトラック接線方向）」を用いる。なお、実用上の装置の配置は、以下の実施形態で示す方向に限定されるものではない。
【００２８】
図１は本発明に係る光ピックアップ装置を内蔵する光ディスク装置の斜視図であり、図２は図１に示した光ディスク装置の内部構造（筐体の上壁を取り外した状態）を示す斜視図である。
【００２９】
図１に示すように、光ディスク装置１は、扁平な筐体２の内部に円盤形の光ディスク（図示せず）を載置するためのトレイ３が収容された構成を有しており、例えばＰＣ（Personal Computer）等の電子機器のドライブベイに搭載される。トレイ３は、筐体２の前側に形成された開口部２ａから前後方向に出没自在に設けられている。光ディスク装置１は、筐体２の後部に設けられた外部コネクタ（図示せず）を介して、光ディスク装置１が搭載される電子機器の電源ケーブルや信号ケーブルと接続され、これにより、電子機器との間で電力の授受や信号の送受信を可能としている。
【００３０】
図２に示すように、トレイ３には、光ディスクの外径よりも僅かに大きな外径を有する円形（より詳細には、左側の一部が直線的に切り欠かれた円形）のディスク載置部１１が形成されている。ディスク載置部１１には、光ディスクを回転駆動するターンテーブルを備えたスピンドルモータ１２や、光ディスクの記録面に対してレーザ光を照射することにより情報の記録や読み取りを行う光ピックアップ装置１３等を備えた光ピックアップモジュール１４が取り付けられている。光ピックアップ装置１３の上面側は、保護カバー１５によって覆われており、光ディスクへのレーザ光の入射及び光ディスクからの反射光の受光に必要とされる構成のみを保護カバー１５の開口部１５ａから露出している。
【００３１】
なお、従来の光ディスク装置と同様に、光ピックアップモジュール１４において、光ピックアップ装置１３は、ディスク載置部１１に載置された光ディスクの半径方向に延在する一対のガイドシャフト１８，１９に沿って摺動自在に設けられており、光ピックアップ装置１３に設けられたラック部（図示せず）がモータ駆動されるスクリューシャフト（図示せず）と噛み合うことにより半径方向に往復移動可能である。また、トレイ３の前面には、イジェクトボタン（図示せず）が設けられており、このイジェクトボタンをユーザが操作することにより、筐体２に対するトレイ３のロック状態が解除され、図示しない機構によりトレイ３が筐体２から前方に飛び出す。これにより、ユーザは、トレイ３への光ディスクの載置またはトレイ３からの光ディスクの取り出しが可能となる。
【００３２】
図３は図２に示した光ディスク装置における光ピックアップ装置の斜視図である。光ピックアップ装置１３は、ガイドシャフト１８，１９（図２参照）に対して摺動自在に取り付けられるキャリッジ２１と、このキャリッジ２１に取り付けられた対物レンズ駆動装置２２と、光ピックアップ用光源としてのレーザモジュール２３と、光ピックアップモジュール１４側の制御基板（図示せず）との間の電気的接続を行うためのＦＰＣ（Flexible printed circuits）２４とを主として備えている。
【００３３】
キャリッジ２１の両端には、ガイドシャフト１８，１９に対してそれぞれ摺動自在に取り付けられるシャフト取付部２５，２６及びシャフト支持部２７が設けられている。シャフト取付部２５，２６に設けられた挿通孔２５ａ，２６ａには、一方のガイドシャフト１８がそれぞれ挿入され、また、シャフト支持部２７に設けられた円弧状の凹部２７ａは、他方のガイドシャフト１９の外周面を支持する。キャリッジ２１の上側の一部にはカバー部材２８が取り付けられており、このカバー部材２８は、ＦＰＣ２４の一部や、光ディスク（対物レンズ）とレーザモジュール２３との間に配置された図示しない光学系（レンズ、ミラー、ビームスプリッタ等）を覆って、塵埃や電気的ノイズ等から保護している。また、対物レンズ駆動装置２２では、後述するヨーク部材３５（図４参照）の一部がキャリッジ２１に対して接着により固定されている。
【００３４】
図示は省略するが、レーザモジュール２３は、約７８０ｎｍの波長（ＣＤ用）及び約６５０ｎｍ波長（ＤＶＤ用）の２つのレーザ光を出力する半導体レーザ素子が設けられた光源部、光ディスクから反射してきた光を受光する信号検出用の第１の受光部、及び光源部から出射された光の光量をモニタする第２の受光部等を備えている。レーザモジュール２３では、第２の受光部でモニタされた光量に応じて光源部から出力されるレーザ光の強度を調整することができる。
【００３５】
図４は、図３に示した光ピックアップ装置における対物レンズ駆動装置の斜視図であり、図５及び図６は、それぞれ図４に示した対物レンズ駆動装置におけるレンズホルダ及びこれに取り付けられた各部材（対物レンズ、フォーカスコイル及びトラッキングコイル）の斜視図及び正面図であり、図７、図８及び図９は、それぞれ対物レンズ駆動装置における対物レンズを保持するレンズホルダの斜視図、平面図及び正面図であり、図１０は、図５においてレンズホルダを省略した各部材（対物レンズ、フォーカスコイル及びトラッキングコイル）を示す斜視図である。なお、対物レンズ駆動装置の各構成要素は、一部の部材（ヨーク部材３５等）を除いてトラッキング方向に対称に設けられており、それら対称の部位については同一の符号が付されている。
【００３６】
図４に示すように、対物レンズ駆動装置２２は、光ディスク（図示せず）に対向する対物レンズ３１を保持するレンズホルダ３２と、このレンズホルダ３２に対して複数のサスペンションワイヤ（弾性部材）３３Ａ〜３３Ｃを介して接続されることにより、レンズホルダ３２を弾性支持するホルダ支持部材３４と、このホルダ支持部材３４が取り付けられた磁性体からなるヨーク部材３５とを主として備える。
【００３７】
図５及び図６に示すように、レンズホルダ３２は、光学材料によって形成された対物レンズ３１が固定されるレンズ固定部４１と、レンズ固定部４１のトラッキング方向の両側に接続され、一対のフォーカスコイル（第１コイル）４２，４２の各々が巻かれる一対のフォーカスコイルホルダ部（第１コイルホルダ部）４３，４３と、タンジェンシャル方向の一方側においてトラッキングコイル４４，４４がそれぞれ巻かれるトラッキングコイルホルダ４５，４５と、タンジェンシャル方向の他方側においてトラッキングコイル４６，４６がそれぞれ巻かれるトラッキングコイルホルダ４７，４７とを備えている。レンズホルダ３２は、樹脂成型品であり、ここでは、絶縁性材料であるガラスフィラーを含む液晶ポリマで形成されているが、これに限らず他の絶縁性の樹脂材料等によって形成されてもよい。
【００３８】
なお、トラッキングコイル４４，４４及びトラッキングコイル４６，４６は、個別に符号を付しているが、それらは図示しないリード線にて直列に接続されている。また、フォーカスコイル及びトラッキングコイルの数や配置は種々の変更が可能である。
【００３９】
レンズ固定部４１は、平面視において略矩形をなす板状の部位であり、レンズホルダ３２の略中央に位置している。レンズ固定部４１の中央には、円形のレンズ取付孔５１が形成されており、対物レンズ３１は、上側からレンズ取付孔５１に嵌め込まれた状態で固定されている。
【００４０】
図７及び図８に示すように、フォーカスコイルホルダ部４３，４３は、平面視において略Ｕ字状をなすように設けられている。フォーカスコイルホルダ部４３，４３は、レンズ固定部４１をトラッキング方向に挟み込むように配置され、その上部において、Ｕ字状の開口側がそれぞれレンズ固定部４１のトラッキング方向における側面４１ａに接続されている。また、フォーカスコイルホルダ部４３，４３の下部は、レンズ固定部４１の下面４１ｄ（図９参照）を越えて下方に延出している。このような構成により、フォーカスコイルホルダ部４３，４３は、中央に略矩形の開口４３ｈを有する略角筒状をなし、その周囲にフォーカスコイル４２，４２を巻き付け可能となっている。
【００４１】
フォーカスコイルホルダ部４３，４３のトラッキング方向におけるその外側の側面４３ａには、３つのワイヤ支持部５３Ａ〜５３Ｃと、それらワイヤ支持部５３Ａ〜５３Ｃにそれぞれ対応する３つのワイヤ接続部５４Ａ〜５４Ｃとが設けられている。また、フォーカスコイルホルダ部４３，４３のタンジェンシャル方向の一方側（図４に示すホルダ支持部材３４と相反する側）における側面４３ｂには、レンズ固定部４１の側面４１ｂに跨がってトラッキングコイルホルダ４５，４５が設けられている。さらに、フォーカスコイルホルダ部４３，４３のタンジェンシャル方向の他方側（図４に示すホルダ支持部材３４側）における側面４３ｃには、トラッキングコイルホルダ４７，４７が設けられている。
【００４２】
ワイヤ支持部５３Ａ〜５３Ｃは、略同一形状を有し、フォーカスコイルホルダ部４３，４３の側面４３ａから外側に突設されている。ワイヤ支持部５３Ａ〜５３Ｃは、側面４３ａのタンジェンシャル方向の一方側においてフォーカス方向に整列するように互いに略等しい間隔をおいて配置されている。また、ワイヤ支持部５３Ａ〜５３Ｃの中央には、略タンジェンシャル方向に延在し、サスペンションワイヤ３３Ａ〜３３Ｃがそれぞれ挿通されるワイヤ貫通孔６１Ａ〜６１Ｃがそれぞれ設けられている。
【００４３】
なお、サスペンションワイヤ３３Ａ〜３３Ｃは、導電性を有する弾性材料（ここでは、銅−ベリリウム合金）によって形成されるが、少なくとも必要な導電性と弾性を有するものであれば、これに限らず他の公知の材料を用いてもよい。また、サスペンションワイヤ３３Ａ〜３３Ｃは、ここでは線状をなすが、それらと同様の機能を果たすことが可能な限りにおいて、これに限定されず他の形状（例えば、帯状）でもよい。
【００４４】
ワイヤ接続部５４Ａ，５４Ｃは、フォーカスコイルホルダ部４３，４３の側面４３ａから外側に突設され、また、ワイヤ接続部５４Ｂは、側面４３ｂから外側（すなわち、ワイヤ接続部５４Ａ，５４Ｃの突設方向と直交する向き）に突設されている。ワイヤ接続部５４Ａ，５４Ｃは、側面４３ａのタンジェンシャル方向の他方側においてフォーカス方向に整列し、また、ワイヤ支持部５３Ａ，５３Ｃとそれぞれ略同一の高さ（フォーカス方向において対応する位置）に配置されている。また、ワイヤ接続部５４Ｂは、ワイヤ支持部５３Ｂと略同一の高さに配置されている。
【００４５】
ワイヤ接続部５４Ａ，５４Ｃには、フォーカスコイル４２，４２におけるリード線（図示せず）の一端及び他端がそれぞれ接続され、更にサスペンションワイヤ３３Ａ，３３Ｃの一端側がはんだ付けによって接続される。これにより、フォーカスコイル４２，４２とサスペンションワイヤ３３Ａ，３３Ｃとが電気的に接続されている。また、２つのワイヤ接続部５４Ｂ，５４Ｂには、一連のトラッキングコイル４４，４４及びトラッキングコイル４６，４６におけるリード線（図示せず）の一端及び他端がそれぞれ接続され、更にサスペンションワイヤ３３Ｂ，３３Ｂの一端側がはんだ付けによって接続される。これにより、一連のトラッキングコイル４４，４４及びトラッキングコイル４６，４６とサスペンションワイヤ３３Ｂ，３３Ｂとが電気的に接続されている。
【００４６】
ワイヤ接続部の数及び配置は、上述の構成に限らず種々の変更が可能である。その場合でも、後に詳述するフォーカスコイル４２，４２は、それらワイヤ接続部を迂回するように分割された形状を有する（ただし、１つのフォーカスコイル４２を構成する導線は切断されておらず、分割された部位は互いに電気的に接続されている。）。また、ワイヤ支持部５３Ａ〜５３Ｃについては、必要に応じて省略してもよい。
【００４７】
トラッキングコイルホルダ４５，４５は、レンズ固定部４１の側面４１ｂ及びフォーカスコイルホルダ部４３，４３の側面４３ｂから外側に突設された上下の巻き掛けバー６３，６４と、この巻き掛けバー６３，６４の先端部に設けられ、それらの突設方向に直交する平板状をなす上下の巻き枠６５，６６とを有する。
【００４８】
つまり、図９に示すように、トラッキングコイルホルダ４５，４５は、上下に分割された構成を有しており、上側の巻き掛けバー６３及び巻き枠６５と、下側の巻き掛けバー６４及び巻き枠６６とは、互いに上下（フォーカス方向）に離間している。また、上側の巻き枠６５（巻き掛けバー６３も同様）の下面６５ａは、レンズ固定部４１の下面４１ｄと略同一の高さか、或いはその下面４１ｄよりも上側に位置する。これにより、後に詳述するように、フォーカスコイルホルダ部４３，４３に対するフォーカスコイル４２，４２の自動巻線機による巻き付けが容易となる。
【００４９】
また、下側の巻き枠６６には、タンジェンシャル方向の一方側に突出するストッパ６８が設けられている。ストッパ６８は、トラッキングまたはフォーカシング等によりレンズホルダ３２が変位した際に、ヨーク部材３５の一部と係合することにより、レンズホルダ３２の過大な変位を規制する。図９に示すように、ストッパ６８の上面６８ａは、巻き枠６６の上面６６ａと略同一の高さか、或いはその上面６６ａよりも下側に位置する。
【００５０】
なお、巻き枠６５，６６は、図６に示すように、フォーカス方向においてフォーカスコイル４２，４２の巻線部における少なくともレンズ固定部４１側と重ならないように分割される。これにより、トラッキングコイルホルダ４５，４５をレンズホルダ３２に更に設けた場合でも、自動巻線機を使用可能となる。
【００５１】
また、詳細な説明は省略するが、トラッキングコイルホルダ４７，４７においても、形状等の多少の相違を除けば、トラッキングコイルホルダ４５，４５の巻き掛けバー６３，６４、巻き枠６５，６６及びストッパ６８とそれぞれ同様に機能する巻き掛けバー、巻き枠及びストッパ（それらの一部については、トラッキングコイルホルダ４５，４５の場合と同一の符号で示している。）が設けられている。
【００５２】
図５及び図１０に示すように、フォーカスコイル４２，４２は、その巻線部７１の軸方向が略フォーカス方向に沿うように配置される。この巻き付けられた状態において、フォーカスコイル４２，４２の巻線部７１は、トラッキング方向におけるレンズ固定部４１側において一体をなすと共に、外側（レンズ固定部４１側と相反する側）においてワイヤ支持部５３Ａ〜５３Ｃ及びワイヤ接続部５４Ａ〜５４Ｃを迂回するように上下に分割された形状を有している。これにより、フォーカスコイル４２，４２は、側面視において（タンジェンシャル方向からみた場合に）略Ｖ字状または略Ｕ字状をなしている。
【００５３】
より詳細には、フォーカスコイル４２，４２は、側面視において、水平方向（トラッキング方向）に対して外側が上方に傾斜した巻線上部７１ａと、水平方向に対して下方に傾斜した巻線下部７１ｂとを有している。図６に示すように、巻線上部７１ａの外側の部位はワイヤ接続部５４Ａ，５４Ｂの間に配置され、また、巻線下部７１ｂの外側の部位はワイヤ接続部５４Ｂ，５４Ｃの間に配置される。これにより、３本のサスペンションワイヤ３３Ａ〜３３Ｃを介して弾性支持されたレンズホルダ３２において、自動巻線機を使用可能となる。
【００５４】
なお、水平方向に対する巻線上部７１ａ及び巻線下部７１ｂの傾斜は、ここに示したものに限らず、例えば、巻線下部７１ｂを略水平とする一方、巻線上部７１ａをより大きな角度で上方に傾斜させてもよい。しかしながら、本実施形態の場合のように巻線上部７１ａ及び巻線下部７１ｂを水平方向に対してそれぞれ上下に傾斜させることにより、巻線部７１のレンズ固定部４１側のフォーカスコイルホルダ部４３，４３に対する巻き付け位置がフォーカス方向の一方に片寄ることがなく、自動巻線機のニードルの通過スペースＳ（図９参照）の確保が容易であると共に、巻き枠６５，６６やストッパ６８等の周辺部材の配置における自由度が高まるという利点がある。
【００５５】
このフォーカスコイル４２，４２では、巻線上部７１ａ及び巻線下部７１ｂの外側の部位がフォーカス方向において略同一の厚さを有するように略均等に分割されているが、これに限らず、巻線上部７１ａ及び巻線下部７１ｂを不均一に分割した形状も可能である。また、フォーカスコイル４２，４２の外側を３以上に分割した構成も可能である。また、巻線部７１の空芯部の形状も種々の変更が可能である。
【００５６】
フォーカスコイルホルダ部４３，４３に対するフォーカスコイル４２，４２の巻き付けは、上述のように自動巻線機によって実施される。フォーカスコイル４２，４２の巻線部７１は、レンズ固定部４１側では一体をなす（すなわち、分割されていない）ため、図１２に示した比較例の場合のようにニードルの通過スペースＳの制約を受けることはなく、レンズ固定部４１のフォーカス方向の厚みＬ１（図６参照）を比較例の厚みＬ０に比べて下側（対物レンズ３１への光ディスクからの光入射方向）に増大させることが可能となる。
【００５７】
このような構成により、光ピックアップ装置１３では、複数のサスペンションワイヤ３３Ａ〜３３Ｃを介して弾性支持された（すなわち、サスペンションワイヤ３３Ａ〜３３Ｃの接続部が設けられた）レンズホルダ３２に対して自動巻線機によりコイルを巻き付け可能な構成でありながら、光ピックアップ装置１３の薄型化を阻害することなくレンズホルダ３２の剛性を高めることが可能である。
【００５８】
トラッキングコイル４４，４４は、上下の巻き掛けバー６３，６４に巻き掛けられ、巻き線部の軸方向が略タンジェンシャル方向に沿うように配置される。このとき、トラッキングコイル４４，４４の軸方向端面は、レンズ固定部４１の側面４１ｂおよびフォーカスコイルホルダ部４３，４３の側面４３ｂと、巻き枠６５，６６とによって画定される。なお、詳細な説明は省略するが、トラッキングコイル４６，４６についても、形状等の多少の相違を除けば、トラッキングコイル４４，４４の場合と同様である。なお、トラッキングコイル４４，４４及びトラッキングコイル４６，４６は、フォーカスコイル４２，４２の巻き付け後に、トラッキングコイルホルダ４５，４５及びトラッキングコイルホルダ４７，４７に対してそれぞれ巻き付けられる。
【００５９】
再び図４を参照して、ホルダ支持部材３４は、略直方体状をなし、トラッキング方向の両側部には、サスペンションワイヤ３３Ａ〜３３Ｃの他端側（ワイヤ接続部５４Ａ〜５４Ｃとは相反する側）が、それぞれフォーカス方向に整列するように挿通された状態で固定されている。このサスペンションワイヤ３３Ａ〜３３Ｃの他端側には、図示しない基板からトラッキング制御信号またはフォーカス制御信号として電流を流すことが可能である。
【００６０】
サスペンションワイヤ３３Ａ〜３３Ｃの相互の間隔は、フォーカスコイルホルダ部４３，４３のワイヤ接続部５４Ａ〜５４Ｃへの固定間隔に略一致している。このような構成により、ホルダ支持部材３４は、略タンジェンシャル方向に互いに平行に延在するサスペンションワイヤ３３Ａ〜３３Ｃを介して、レンズホルダ３２を弾性的に支持可能である。ホルダ支持部材３４は、樹脂成型品であり、ここでは、絶縁性材料であるガラスフィラーを含む液晶ポリマで形成されているが、これに限らず他の絶縁性の樹脂材料等によって形成されてもよい。
【００６１】
ヨーク部材３５は、ホルダ支持部材３４が固定される上側平板部７５と、この上側平板部７５の一端縁に連なり、フォーカス方向において立ち下がるように設けられた第１立設部７６と、この第１立設部７６の下縁に連なり、上側平板部７５と略平行に設けられた下側平板部７７と、この下側平板部７７における第１立設部７６とは相反する側の端縁に連なり、フォーカス方向において立ち上がるように設けられた第２立設部７８とを有している。ヨーク部材３５は、磁石８１Ａ〜８１Ｄと共に磁気回路を構成する。
【００６２】
磁石８１Ａ，８１Ｂは、略直方体の永久磁石からなり、トラッキングコイル４６，４６における巻線の１つの辺４６ａ（図１０参照）に対向するように配置され、下側平板部７７と第２立設部７８に対して接着剤で固定されている。また、磁石８１Ｃ，８１Ｄは、トラッキングコイル４４，４４における巻線の１つの辺４４ａ（図１０参照）に対向するように配置され、下側平板部７７と第１立設部７６とによって固定される。辺４４ａと辺４６ａとは、フォーカスコイル４２，４２のトラッキング方向における略中間の部位をタンジェンシャル方向に挟み込むように配置されている。
【００６３】
対物レンズ駆動装置２２では、サスペンションワイヤ３３Ａ，３３Ｃを介してフォーカスコイル４２，４２に電流が流れると、磁石８１Ａ〜８１Ｄからの磁束によって、電流の向きに応じてレンズホルダ３２を光ディスクのフォーカス方向のいずれかに駆動する力（ローレンツ力）が発生する。両フォーカスコイル４２，４２に流れる電流は、独立に制御することができる。この場合、上述のように、フォーカスコイル４２，４２の巻線上部７１ａおよび巻線下部７１ｂは水平方向に対して傾斜している（すなわち、コイル軸がフォーカス方向に対して傾斜している）ため、ローレンツ力にはフォーカス方向に対して傾斜した成分が生じる。しかしながら、フォーカスコイル４２，４２は、略同一（フォーカシング制御に影響を及ぼさない程度に同一）の形状を有し、しかもレンズホルダ３２の中心（重心）を基準として対称に配置されているため、それらの成分は互いに打ち消し合い、フォーカス方向の成分のみがレンズホルダ３２に作用する。
【００６４】
また、サスペンションワイヤ３３Ｂを介してトラッキングコイル４４，４４及びトラッキングコイル４６，４６に電流が流れると、磁石８１Ａ〜８１Ｄからの磁束によって、電流の向きに応じてレンズホルダ３２を光ディスクのトラッキング方向のいずれかに駆動する力（ローレンツ力）が発生する。
【００６５】
以上、本発明を特定の実施形態に基づいて説明したが、これらの実施形態はあくまでも例示であって、本発明はこれらの実施形態によって限定されるものではない。例えば、本発明に係る光ピックアップ装置は、実施形態に示した光ディスク装置に限らず、他の異なる構成（例えば、シェルドライブ方式等）の光ディスク装置に適用することが可能である。また、本発明に係る光ピックアップ装置は、実施形態に示したものとは異なる波長のレーザ光を出力するレーザモジュールを用いることにより、ＣＤ及びＤＶＤに限らず、Ｂｌｕ−ｒａｙ  Ｄｉｓｃなどの他の光ディスクを用いることができる。なお、上記実施形態に示した本発明に係る光ピックアップ装置及びこれを備えた光ディスク装置の各構成要素は、必ずしも全てが必須ではなく、少なくとも本発明の範囲を逸脱しない限りにおいて適宜取捨選択することが可能である。
【符号の説明】
【００６６】
１  光ディスク装置
３  トレイ
１３  光ピックアップ装置
１４  光ピックアップモジュール
２２  対物レンズ駆動装置
２３  レーザモジュール
３１  対物レンズ
３２  レンズホルダ
３３Ａ〜３３Ｃ  サスペンションワイヤ（弾性部材）
３４  ホルダ支持部材
３５  ヨーク部材
４１  レンズ固定部
４２  フォーカスコイル（第１コイル）
４３  フォーカスコイルホルダ部
４４，４６  トラッキングコイル（第２コイル）
４５，  ４７  トラッキングコイルホルダ
５３Ａ〜５３Ｃ  ワイヤ支持部
５４Ａ〜５４Ｃ  ワイヤ接続部
６５，６６  巻き枠
６８  ストッパ
７１  巻き線部
７１ａ  巻線上部
７１ｂ  巻線下部
８１Ａ〜８１Ｄ  磁石
【図１】
2014175032.tif 000003
【図２】
2014175032.tif 000004
【図３】
2014175032.tif 000005
【図４】
2014175032.tif 000006
【図５】
2014175032.tif 000007
【図６】
2014175032.tif 000008
【図７】
2014175032.tif 000009
【図８】
2014175032.tif 000010
【図９】
2014175032.tif 000011
【図１０】
2014175032.tif 000012
【図１１】
2014175032.tif 000013
【図１２】
2014175032.tif 000014